(57)【要約】【課題】２つのケース片をヒンジによって開閉自在に軸支した構造の基板保護ケース内に制御基板を収容した場合に、不正行為者が基板保護ケースを完全に開放できない構造にすると共に、基板保護ケースを完全に開放しない限りは制御基板上のＲＯＭを隠蔽するＲＯＭカバーを除去、開放することができないようにした。【解決手段】ＲＯＭ５２を搭載した制御基板５０を支持する第１のケース片１０、及び第２のケース片２０を有し、制御基板の表面上に電子部品を隠蔽する電子部品カバーが少なくとも一本の螺子により固定されており、第１のケース片には少なくとも一本の螺子５６を隠蔽する隠蔽位置と該螺子を露出させる露出位置との間を進退する開閉部材６０が支持されており、第１のケース片に対する第２のケース片の開放角度が所定の許容角度に達しない場合には、開閉部材は第２のケース片によって露出位置への移動完了を阻止される。【選択図】図４
2010094239.tif 000002
【特許請求の範囲】
【請求項１】
電子部品を搭載した制御基板の裏面側を支持する第１のケース片、及び該第１のケース片の一端部に設けたヒンジ部によって開閉自在に一端部を軸支され且つ閉止時に前記第１のケース片との間で前記制御基板を包囲する第２のケース片を有した基板保護ケースであって、
前記制御基板の表面上には前記電子部品を隠蔽する電子部品カバーが少なくとも一本の螺子により固定されており、
前記第１のケース片には少なくとも一本の前記螺子を隠蔽する隠蔽位置と該螺子を露出させる露出位置との間を進退する開閉部材が支持されており、
前記第１のケース片に対する前記第２のケース片の開放角度が所定の許容角度に達しない場合には、前記開閉部材は前記第２のケース片によって露出位置への移動完了を阻止されるように構成されていることを特徴とする基板保護ケース。
【請求項２】
前記開閉部材は、前記第１のケース片により回動自在に軸支された部材であることを特徴とする請求項１に記載の基板保護ケース。
【請求項３】
前記開閉部材は、前記第２のケース片に一体化された部材であることを特徴とする請求項１に記載の基板保護ケース。
【請求項４】
請求項１乃至３の何れか一項に記載の基板保護ケースと、前記第１のケース片の外面に着脱自在に組み付けられて前記基板保護ケースを遊技機本体に対して取り付けるための台座と、を備え、
前記台座は、前記第１のケース片に組み付けられた状態において前記第２のケース片の開放角度が前記許容角度に達しないように規制する規制部を有していることを特徴とする基板保護ケースの支持構造。
【請求項５】
請求項１乃至４の何れか一項に記載の基板保護ケースを備えたことを特徴とする遊技機。
【発明の詳細な説明】
【技術分野】
【０００１】
本発明は、パチンコ遊技機、スロットマシン等の各種遊技機に装備される制御基板に搭載されたＲＯＭを交換する不正行為を効果的に予防することができる基板保護ケース、その支持構造、及び遊技機に関する。
【背景技術】
【０００２】
パチンコ遊技機、スロットマシン等の各種遊技機に搭載されるＲＯＭを不正に取り換えることにより、遊技内容を遊技者に都合よく進行させて出球を獲得する不正行為が所謂ゴト師によって行われ、その手法は巧妙化している。
ＲＯＭの不正な取り換えは、工場から出荷された遊技機が遊技場に設置される以前の段階、或いは設置後に行われる可能性が高い。
このような不正行為に対する対策として特許文献１には、制御基板上のＲＯＭを包囲するケース体とカバー体とを分離不能な結合手段によって結合することにより、結合手段を破壊した場合にはその痕跡が必ず残るようにした技術が提案されている。
しかし、不正行為者の手口が更に巧妙化することにより、結合手段を破壊してＲＯＭを交換した後で、形跡が残らないように新たな結合手段を組み付ける可能性がある。
また、制御基板は基板保護ケース内に収容された状態で遊技機に固定されるため、基板保護ケースを開放しない限り制御基板上のＲＯＭを包囲するＲＯＭケース体を取り外す作業に着手することができないが、一旦基板保護ケースを開放しさえすれば、ＲＯＭケースを取り外してＲＯＭを交換することは比較的容易であった。
【特許文献１】特開２００６−１３０３５２公報
【発明の開示】
【発明が解決しようとする課題】
【０００３】
以上のように、従来は、ＲＯＭカバーにより隠蔽されたＲＯＭを搭載した制御基板を収容する基板保護カバーを開放しさえすれば、ＲＯＭカバーを開放、除去してＲＯＭを交換する不正行為は容易であった。
本発明は上記に鑑みてなされたものであり、２つのケース片をヒンジによって開閉自在に軸支した構造の基板保護ケース内に制御基板を収容した場合に、不正行為者が基板保護ケースを完全に開放できない構造にすると共に、基板保護ケースを完全に開放しない限りは制御基板上のＲＯＭを隠蔽するＲＯＭカバーを除去、開放することができないようにした基板保護ケース、その支持構造、及び、遊技機を提供することを目的としている。
【課題を解決するための手段】
【０００４】
上記目的を達成するため、請求項１の発明に係る基板保護ケースは、電子部品を搭載した制御基板の裏面側を支持する第１のケース片、及び該第１のケース片の一端部に設けたヒンジ部によって開閉自在に一端部を軸支され且つ閉止時に前記第１のケース片との間で前記制御基板を包囲する第２のケース片を有した基板保護ケースであって、前記制御基板の表面上には前記電子部品を隠蔽する電子部品カバーが少なくとも一本の螺子により固定されており、前記第１のケース片には少なくとも一本の前記螺子を隠蔽する隠蔽位置と該螺子を露出させる露出位置との間を進退する開閉部材が支持されており、前記第１のケース片に対する前記第２のケース片の開放角度が所定の許容角度に達しない場合には、前記開閉部材は前記第２のケース片によって露出位置への移動完了を阻止されるように構成されている。
基板保護ケースを構成するケース片を許容角度まで開放しない限りＲＯＭカバーを制御基板に固定するための螺子を操作できないように構成したので、基板保護ケース内に収容された制御基板上に搭載されたＲＯＭを不正に交換する目的でＲＯＭカバーを取り外す行為を防止することができる。
【０００５】
請求項２の発明に係る基板保護ケースは、請求項１において、前記開閉部材は、前記第１のケース片により回動自在に軸支された部材であることを特徴とする。
請求項３の発明に係る基板保護ケースは、請求項１において、前記開閉部材は、前記第２のケース片に一体化された部材であることを特徴とする。
請求項４の発明に係る基板保護ケースの支持構造は、請求項１乃至３の何れか一項に記載の基板保護ケースと、前記第１のケース片の外面に着脱自在に組み付けられて前記基板保護ケースを遊技機本体に対して取り付けるための台座と、を備え、前記台座は、前記第１のケース片に組み付けられた状態において前記第２のケース片の開放角度が前記許容角度に達しないように規制する規制部を有していることを特徴とする。
基板保護ケースが遊技機本体に組み付けられた状態にある場合に、基板保護ケースと遊技機本体側との間に介在する台座によって可動側のケース片の開放角度を規制し、その結果としてＲＯＭカバーを固定する螺子が開閉部材によって隠蔽され続けるようにしたので、ドライバー等を用いて螺子を操作することが不可能となる。
請求項５の発明に係る遊技機は、請求項１乃至４の何れか一項に記載の基板保護ケースを備えたことを特徴とする。
【発明の効果】
【０００６】
以上のように本発明によれば、基板保護ケース内に収容された制御基板上に搭載されたＲＯＭを不正に交換する目的でＲＯＭカバーを取り外す行為を防止するために、基板保護ケースを構成するケース片を許容角度まで開放しない限りＲＯＭカバーを制御基板に固定するための螺子を操作できないように構成した。基板保護ケースが遊技機本体に組み付けられた状態にある場合に、基板保護ケースと遊技機本体側との間に介在する台座によって可動側のケース片の開放角度を規制し、その結果としてＲＯＭカバーを固定する螺子が開閉部材によって隠蔽され続けるようにしたので、ドライバー等を用いて螺子を操作することが不可能となる。
基板保護ケースを遊技機本体から取り外すことが困難となるように構成しておくことにより、可動側のケース片を完全に開放して開閉部材を露出位置に移動させることも困難となる。
遊技場等において営業中に不正に行われるＲＯＭの交換行為は管理者の目を盗んで短時間で実施する必要があるが、基板保護ケースの開放を困難化することにより、不正行為を抑止することが可能となる。
【発明を実施するための最良の形態】
【０００７】
以下、本発明を図面に示した実施の形態により詳細に説明する。
図１は本発明の第１の実施形態に係る基板保護ケースの外観構成（閉止状態）を示す斜視図であり、図２は上ケース片を半開放した状態を示す斜視図であり、図３は要部の分解斜視図であり、図４（ａ）及び（ｂ）は上ケース片を開放してＲＯＭケースを取り外す手順を示す斜視図であり、図５（ａ）及び（ｂ）は上ケース片を開放してＲＯＭケースを取り外す手順を示す縦断面図である。
基板保護ケース１は、ＲＯＭを始めとした電子部品を搭載した制御基板（プリント基板）５０を内部に収容した状態でパチンコ遊技機等の遊技機の背面（遊技機本体）８０に、台座３０を介して組み付けられる。
基板保護ケース１は、ＲＯＭを搭載した制御基板（プリント基板）５０を間に挟んだ状態で内部に収容する透明な樹脂製の２つのケース片（下ケース片１０、上ケース片２０）から構成されている。２つのケース片１０、２０は、制御基板５０の両面と夫々対向した状態で組み付けられており、下ケース片１０は遊技機本体８０に支持された台座３０に固定される一方で、上ケース片２０は下ケース片１０によって開閉自在に軸支される。
【０００８】
この例では、台座３０に支持された下ケース片（第１のケース片）１０の長手方向一端縁に設けたヒンジ部２に対して、上ケース片（第２のケース片）２０の長手方向一端縁を開閉自在に軸支することにより基板保護ケース１が開閉するように構成されている。ヒンジ部２は、下ケース片１０の一端縁に設けた第１のヒンジ片２ａ（軸部）に対して、上ケース片２０の一端縁に設けた第２のヒンジ片２ｂ（フック部）を回動自在に係止した構成を有している。下ケース片１０に対して上ケース片２０を閉止した時に両ケース片の間に形成される空所内に制御基板５０を収容した状態で包囲する。
ヒンジ部２とは反対側の基板保護ケース１の他端縁に沿った適所には、カシメピン３ａを用いた締結穴３が配置され、締結穴内にカシメピンを打ち込むことにより両ケース片１０、２０は閉止状態でロックされる。締結穴３に打ち込まれたカシメピンを除去することによって上ケース片２０はヒンジ部２を中心として開閉可能な状態となる。
【０００９】
なお、台座３０は、遊技機本体の背面側に設けた遊技機側保持部８１に対して基板保護ケース１を取り付けるための連結手段であり、台座３０に設けたフック部３１を遊技機側保持部８１に設けた軸部８２に係合させることにより、基板保護ケース１は台座３０と一体的に軸部８２を中心として上下方向へ回動する。即ち、基板保護ケース１の下ケース片１０がこの台座３０により保持されるため、基板保護ケース１は遊技機側の軸部８２を中心として台座３０と共に上下方向へ回動する。上ケース片２０は、台座３０に固定されている訳ではないので、締結穴３が非ロック状態にある限り、下ケース片１０に対してヒンジ部２を中心として開放可能な状態にある。但し、台座３０により支持された基板保護ケース１が軸部８２を中心として上方に回動することによって遊技機本体背面から離間した場合には、遊技機本体背面に搭載され且つ基板保護ケースの上方に位置する他の部品類が障害となるため事実上上ケース２０を開放することは困難となる。従って、上ケース２０が開放可能となるのは、台座３０及び基板保護ケース１が遊技機本体の背面に密着した非回動姿勢にある時のみである。また、台座３０に対して基板保護ケース１（下ケース片１０）は取外し可能ではあるが、実際には基板保護ケース内の制御基板５０に設けたコネクタ部と遊技機本体側に固定された他のユニットとの間を結線するケーブル等が複雑に接続されているため、台座３０から基板保護ケース１を短時間で取り外すことは容易ではない。
【００１０】
制御基板５０を収容した基板保護ケース１は、下ケース片１０を台座３０を介してパチンコ遊技機等の遊技盤の背面に添設させた状態で組み付けられるため、遊技盤の背面側から上ケース片２０を通して内部の制御基板面に搭載された電子部品を視認することができる。また、台座３０の上部に位置する軸部８２を中心として基板保護ケース１を上方に回動させることにより、透明な下ケース片１０の底面から基板保護ケース内部を確認することができる。
各図に示すように下ケース片１０は、その底面を台座３０の前面に対して組み付けた状態で、図示しない係合手段（凹凸係合、螺子止め等々）によって台座３０に固定される。台座３０の一端、即ちヒンジ部２側の端部には前方へ突出した突起状の規制部３５が設けられている。規制部３５は、図２、図３のように上ケース片２０を開放する際に上ケース片端面２１と当接してそれ以上開放方向へ回動できないように規制している。本例に係る規制部３５は、閉止位置にある上ケース片２０が９０度以上開放しないように構成されている。
制御基板５０は、その表面（上ケース片２０側面）に各種電子部品５１を搭載しており、電子部品５１の中でもゴト師によって交換されることによって遊技機の機能を著しく改変することが可能となるＲＯＭ５２は、ＲＯＭカバー（電子部品カバー）５３によって隠蔽（包囲）されている。ＲＯＭカバー５３は、図５に示すように一端縁に設けた張出し部５３ａを制御基板５０上に設けた係止部材５８の凹所内に嵌合させる一方で、他端縁から張り出した螺子止め部５４に設けた穴５４ａと制御基板面に設けた螺着穴５５に螺子５６を螺着して締結されるように構成されている。このため、螺子５６を取り外してＲＯＭカバー５３を除去、開放しない限り、ＲＯＭ５２を交換することは不可能となっている。
【００１１】
また、下ケース片１０には螺着された螺子５６を隠蔽する隠蔽位置（図４（ａ）、図５（ａ））と螺子を露出させる露出位置（図４（ｂ）、図５（ｂ））との間を進退する開閉部材６０が支持されている。本例に係る開閉部材６０は、下ケース片１０の角隅部に設けられた軸部６１によって基板面と平行に回動自在に軸支された外周縁が円弧状の板材である。
なお、開閉部材６０が隠蔽位置にある時には螺子の頭部の少なくとも一部が隠蔽されるためにドライバー等による操作が不可能となり、露出位置にあるときにはドライバーによる操作が可能となる。また、開閉部材６０が隠蔽位置と露出位置との中間位置にあるときにもドライバーによる螺子の操作が不可能となるように構成することが好ましい。
開閉部材６０は、下ケース片１０に対する上ケース片２０の開放角度が所定の許容角度、本例では１８０度に達しない場合には、上ケース片２０によって露出位置への移動完了を阻止されるように構成されている。
【００１２】
一方、図２乃至図５に示すように、基板保護ケース１が台座３０に固定されている限りは、台座３０に設けた規制部３５の存在によって上ケース片２０は９０度を超えて開放できない構成となっている。上ケース片２０が上記各図に示すように９０度だけ開放した状態では開閉部材６０が上ケース片２０の端縁に当接してそれ以上開放できないため螺子５６は隠蔽され続ける。このため、ドライバー等を用いて螺子５６を除去してＲＯＭカバー５３を開放することは不可能となる。
本例では、上ケース片２０が１８０度（許容角度）まで開放しない限り、開閉部材６０が螺子を露出させる位置に回動できない構成となっているが、これは一例であり、１８０度未満の開放角度となった時点で開閉部材を露出位置に回動できるように構成してもよい。
図４（ｂ）、図５（ｂ）に示すように台座３０から基板保護ケース１を離脱させた場合には台座の規制部３５による干渉を受けずに上ケース片２０を９０度以上開放することが可能となるため、開閉部材６０を露出位置に開放して螺子５６を露出させることができる。
【００１３】
前述のように台座３０が遊技機本体背面８０に密着していない限り、他の搭載部品が障害となって上ケース片２０は開放することができないため、不正行為者が基板保護ケースを開放するには台座３０が遊技機本体背面８０に密着している状態で作業を実施するしかない。一方、台座３０が遊技機本体背面に密着している限りは規制部３５が障害となって上ケース片を許容角度まで開放できないため、開閉部材６０を回動させて螺子５６を除去した上でＲＯＭケースを開放することが不可能となる。
基板保護ケースを開放してＲＯＭを交換する等の不正行為を遊技場の営業中に行う場合には管理者の隙を突いて短時間で実施する必要があるにも拘わらず、上記のような開閉部材６０が設けられている場合にはＲＯＭカバーを開放した上でのＲＯＭの不正な交換が不可能となる。基板保護ケース１を台座３０から取り外すことも、上述のように接続されたケーブルの取外し、再接続を含む極めて手数の掛かる困難な作業となり、限られた時間内での不正行為は事実上不可能となる。
なお、上記実施形態では開閉部材６０を軸部６１を中心として回動する進退構造としたが、これは一例に過ぎず、どのような進退構造としてもよい。
【００１４】
次に、図６は本発明の第２の実施形態に係る基板保護ケース（半開放状態）の外観構成を示す斜視図であり、図７は各構成要素の分解斜視図であり、図８（ａ）及び（ｂ）は上ケース片の開放手順及びＲＯＭカバーの開放手順を示す説明図であり、図９（ａ）（ｂ）及び（ｃ）は上ケース片を開放してＲＯＭケースを取り外す手順を示す縦断面図である。
なお、上記第１の実施形態と同一部分には同一符号を付して説明する。
本実施形態に係る基板保護ケース１（その支持構造）は、台座３０により支持された下ケース片（第１のケース片）１０に対して、上ケース片（第２のケース片）２０を開放する際に、台座３０に設けた規制部３５によって上ケース片２０の開放角度が規制される構成においては第１の実施形態と同様である。
本発明に係る基板保護ケース１は、上ケース２０の内壁適所から略円弧状に湾曲した開閉部材７０を一体的に突設させた構成を有しており、ヒンジ部２を中心として上ケース２０を開閉させる過程で開閉部材７０がＲＯＭカバー固定用の螺子５６を隠蔽したり露出させるようにした構成が特徴的である。
【００１５】
即ち、矩形の制御基板５０は一つの角隅部に沿った位置にＲＯＭカバー５３が螺子５６によって螺着固定されている。ＲＯＭカバー５３から延びる螺子止め部５４に設けた穴５４ａと制御基板面に設けた螺着穴５５に螺子５６を螺着して締結されるように構成されている。この螺子止め部５４の形状に合わせて、制御基板５０側にも張出し片５０ａを突設し、この張出し片５０ａに螺着穴５５を設けている。
この張出し片５０ａを回避した下ケース片１０の底面には開閉部材７０の先端を挿通するための挿通部（開口、切欠き）１１が形成され、台座３０にも同様な挿通部（開口、切欠き）３０ａが形成されている。
【００１６】
図９（ａ）に示すように上ケース片２０が閉止位置にあるときには上ケース片から突設された開閉部材７０の先端部は下ケース片１０に設けた挿通部１１、３０ａ内に入り込んでおり上ケース片を閉止する際の障害となることがない一方で、螺子５６の頭部の少なくとも一部を隠蔽してドライバーにより操作することを不可能な状態としている。図９（ｂ）（ｃ）のように上ケース片を開放する過程では開閉部材７０が挿通部１１、３０ａから離脱し、上ケース片２０が許容角度（１８０度）に達した時点で螺子５６が露出状態となってドライバーにより操作してＲＯＭカバーを除去、開放することが可能となる。
基板保護ケースを開放してＲＯＭを交換する等の不正行為を遊技場の営業中に行う場合には管理者の隙を突いて短時間で実施する必要があるにも拘わらず、上記のような開閉部材７０が設けられている場合にはＲＯＭカバーを開放した上でのＲＯＭの不正な交換が不可能となる。基板保護ケース１を台座３０から取り外すことも、上述のように接続されたケーブルの取外し、再接続を含む極めて手数の掛かる困難な作業となり、限られた時間内での不正行為は事実上不可能である。
なお、上記各実施形態では、一つの螺子のみを開閉部材によって隠蔽、露出させるように構成したが、複数本の螺子を隠蔽、露出させるように構成してもよい。
なお、本発明の基板保護ケース、及び基板保護ケースの支持構造は、パチンコ遊技機、パチスロ、その他の遊技機一般に適用することができる。
【図面の簡単な説明】
【００１７】
【図１】本発明の第１の実施形態に係る基板保護ケースの外観構成（閉止状態）を示す斜視図である。
【図２】上ケース片を半開放した状態を示す斜視図である。
【図３】第１の実施形態に係る保護基板ケースの要部の分解斜視図である。
【図４】（ａ）及び（ｂ）は上ケース片を開放してＲＯＭケースを取り外す手順を示す斜視図である。
【図５】（ａ）及び（ｂ）は上ケース片を開放してＲＯＭケースを取り外す手順を示す縦断面図である。
【図６】本発明の第２の実施形態に係る基板保護ケース（半開放状態）の外観構成を示す斜視図である。
【図７】本発明の第２の実施形態に係る基板保護ケースの各構成要素の分解斜視図である。
【図８】（ａ）及び（ｂ）は上ケース片の開放手順及びＲＯＭカバーの開放手順を示す説明図である。
【図９】（ａ）（ｂ）及び（ｃ）は上ケース片を開放してＲＯＭケースを取り外す手順を示す縦断面図である。
【符号の説明】
【００１８】
１…基板保護ケース、２…ヒンジ部、２ａ…ヒンジ片、２ｂ…ヒンジ片、３…締結穴、３ａ…カシメピン、１０…下ケース片、１１…挿通部、２０…上ケース片、２１…上ケース片端面、３０…台座、３１…フック部、３５…規制部、５０…制御基板、５１…電子部品、５２…ＲＯＭ、５３…ＲＯＭカバー（電子部品カバー）、５３ａ…張出し部、５４…張出し部、５４ａ…穴、５５…螺着穴、５６…螺子、５８…係止部材、６０…開閉部材、６１…軸部、７０…開閉部材、８０…遊技機本体、８１…遊技機側保持部、８２…軸部。
【図１】
2010094239.tif 000003
【図２】
2010094239.tif 000004
【図３】
2010094239.tif 000005
【図４】
2010094239.tif 000006
【図５】
2010094239.tif 000007
【図６】
2010094239.tif 000008
【図７】
2010094239.tif 000009
【図８】
2010094239.tif 000010
【図９】
2010094239.tif 000011